(57)【特許請求の範囲】
【請求項１】
表示地図を連続的にスクロールさせることが可能な車載用ナビゲーション装置において、地図情報を表示縮尺ごとに分割して記憶しておくための地図情報記憶手段と、前記地図情報記憶手段から地図情報を取得するための地図情報取得手段と、スクロールの開始時に現在の表示地図縮尺よりも広域な縮尺表示用の地図情報を選択して前記地図情報取得手段に地図情報の取得を指示するためのスクロール用地図情報選択手段と、スクロール中に前記地図情報取得手段で取得した地図情報を現在の表示地図縮尺に座標変換して地図を描画するための地図描画手段と、地図の描画結果を表示するための表示手段を備えたことを特徴とする車載用ナビゲーション装置。
【請求項２】
地図情報記憶手段は、スクロール用の付加地図情報を記憶しており、スクロール用地図情報選択手段は、現在の表示地図縮尺よりも広域な縮尺表示用の地図情報と前記付加地図情報とを選択することを特徴とする請求項１記載の車載用ナビゲーション装置。
【請求項３】
地図情報記憶手段は、スクロール用の付加地図情報をスクロール以外の地図表示に用いる地図情報と連続した領域に記憶していることを特徴とする請求項２記載の車載用ナビゲーション装置。
【請求項４】
スクロール速度の変更を指示するためのスクロール速度変更手段をさらに備え、スクロール用地図情報選択手段は、前記スクロール速度変更手段からのスクロール速度の変更指示に基づいて、自動的に選択する地図情報を変更することを特徴とする請求項１記載の車載用ナビゲーション装置。
【発明の詳細な説明】
【０００１】
【発明の属する技術分野】
本発明は現在の表示地図縮尺よりも広域な縮尺表示用の地図情報を使用して、表示地図を連続的にスクロールさせるようにした車載用ナビゲーション装置に関する。
【０００２】
【従来の技術】
従来の車載用ナビゲーション装置では、ユーザーが現在地から目的地までの経路を調べる場合や、現在地周辺の道路を調べる場合などは、カーソルキーの押下により、表示地図をスクロールさせることによって行うようになっている。
【０００３】
しかしながら、従来の車載用ナビゲーション装置では、地図の描画処理時間が長く、地図情報の取得時間も長いため、スクロール先の地図描画が間に合わず、表示地図のスクロールを高速でスムーズに行うことが不可能であった。このため、連続的なスクロールの際には、スクロール先の地図描画が間に合わなくなるとスクロールを一旦停止させるか、または地図が何も表示されない状態でスクロールを継続するかのいずれかであり、ユーザーに不快感を与えてしまうという問題点があった。
【０００４】
上記問題点を解決する装置は従来より種々提案されており、例えば、特開平６−103493号公報に記載された装置もその一例である。この装置は、表示縮尺値に対応する地図情報ごとに、その地図情報の一部の地図情報からなる仮表示用の地図情報をさらに記憶するようにしており、スクロールの指示があった場合には、仮表示用の地図情報を表示するようにしている。仮表示用の地図情報は、実際に表示すべき地図情報の一部の地図情報からなっているので、情報量が少なく、ユーザーが指示してから仮表示用の地図情報が表示されるまでの時間が、実際に表示すべき地図情報が表示されるまでの時間より短くなり、スクロールを見かけ上スムーズに行うことができ、前記のようなユーザーに与える不快感をなくそうというものである。
【０００５】
【発明が解決しようとする課題】
しかしながら、このような従来の車載用ナビゲーション装置においては、複数種類の表示縮尺値ごとに、その表示縮尺値に対応した仮表示用地図情報を記憶しておくため、地図情報を記憶しておくためのメモリ容量が増加し、また、仮表示用地図情報は表示縮尺値ごとに記憶しておくため、地図情報の取得時間は情報量が少なくなる分だけ短くなるが、地図情報の取得回数は実際に表示すべき地図情報を取得するのと変わらないという問題点がある。
【０００６】
本発明は、上記従来の問題点を解決するものであり、地図情報を記憶しておくためのメモリ容量を増加させることなく、高速でスムーズなスクロールを行うことができる車載用ナビゲーション装置を提供することを目的とする。
【０００７】
【課題を解決するための手段】
本発明の車載用ナビゲーション装置は、地図情報を表示縮尺ごとに分割して記憶しておくための地図情報記憶手段と、前記地図情報記憶手段から地図情報を取得するための地図情報取得手段と、スクロールの開始時に現在の表示地図縮尺よりも広域な縮尺表示用の地図情報を選択して前記地図情報取得手段に地図情報の取得を指示するためのスクロール用地図情報選択手段と、スクロール中に前記地図情報取得手段で取得した地図情報を現在の表示地図縮尺に座標変換して地図を描画するための地図描画手段と、地図の描画結果を表示するための表示手段を備えたものである。
【０００８】
この発明によれば、広域な縮尺表示用の地図情報の利用により、地図情報を記憶しておくためのメモリ容量を増加させることなく、高速でスムーズなスクロールが可能となる。
【０００９】
【発明の実施の形態】
以下、本発明の各実施の形態について図面を参照して説明する。
【００１０】
(実施の形態１)
図１は本発明の車載用ナビゲーション装置の実施の形態１における構成を示すブロック図ある。図中、101は地図情報を表示縮尺ごとに分割して記憶しておくための地図情報記憶手段、102は地図情報記憶手段101から地図情報を取得するための地図情報取得手段、103はスクロール先の表示地図を予め描画しておくために地図範囲を算出するための地図範囲算出手段、104は現在の表示地図縮尺を記憶しておくための縮尺記憶手段、105は、縮尺記憶手段104から現在の表示地図縮尺を取得し、現在の表示地図縮尺よりも広域な縮尺表示用の地図情報を選択して、地図情報取得手段102に地図情報の取得を指示するためのスクロール用地図情報選択手段、106は地図情報取得手段102で取得した地図情報を現在の表示地図縮尺に座標変換するための座標変換手段、107は座標変換手段106により座標変換を行った地図情報を基に地図を描画するための地図描画手段、108は地図の描画結果を表示するための表示手段である。
【００１１】
以下その動作を説明する。図２は本発明の車載用ナビゲーション装置の実施の形態１における動作説明のための地図情報の概念図であり、Ｕ201〜Ｕ216は地図情報の最小単位であるユニットを表している。同様に図３は図２に示す地図情報よりも広域な縮尺表示用の地図情報の概念図であり、Ｕ301〜Ｕ304はユニットを表している。図２および図３に示したように、地図情報記憶手段101は地図情報を表示縮尺ごとに分割して記憶しておく。まず、スクロール停止中の動作について説明するに、現在、図２に示した地図情報を表示しているものとすると、地図範囲算出手段103は、現在表示すべき範囲を算出する。図２において、220は地図情報の中で表示すべき範囲を示しており、この場合、地図情報取得手段102は、地図情報記憶手段101から図２におけるＵ201，Ｕ202，Ｕ205，Ｕ206の４つのユニットの地図情報を取得する。座標変換手段106は、縮尺記憶手段104に記憶された現在の表示地図縮尺を取得して座標変換を行い、地図描画手段107が地図を描画し、表示手段108が描画結果を表示する。
【００１２】
次に、スクロール中の動作について説明するに、表示地図のスクロール中は、まずスクロール用地図情報選択手段105が、縮尺記憶手段104より現在の表示地図縮尺を取得し、現在の表示地図縮尺よりも広域な縮尺表示用の地図情報を選択して、地図情報取得手段102に地図情報の取得を指示する。例えば、現在の表示地図縮尺よりも広域な縮尺表示用の地図情報として、図３に示した地図情報を選択するものとすると、地図範囲算出手段103は、スクロール先の地図範囲を算出する。図３の320は地図情報の中で表示すべき範囲を示している。この場合、地図情報取得手段102は、地図情報記憶手段101から図３におけるＵ301のみの地図情報を取得する。以降はスクロール停止中の動作と同様であり、座標変換手段106は、縮尺記憶手段104に記憶された現在の表示地図縮尺を取得して座標変換を行い、地図描画手段107が地図を描画し、表示手段108が描画結果を表示する。ただし、ユーザーの操作によってスクロールが停止された場合には、上記スクロール停止中の動作に従うものとする。
【００１３】
なお、ユーザーにとって広域な縮尺表示用の地図情報では情報量が足りない場合は、スクロール用付加地図情報を通常の地図情報に付加することができる。図４は本発明の車載用ナビゲーション装置の実施の形態１における動作説明のための地図情報の構成図であり、１つのユニットの地図情報の構成を示したものである。図中、401はユニットの地図情報の先頭、402はスクロール以外の地図表示で使用する通常の地図情報、403はスクロール用付加地図情報である。図４に示したように、通常の地図情報402とスクロール用付加地図情報403とを連続した領域に記憶しておくことにより、ユニットの地図情報の先頭401から通常の地図情報402とスクロール用付加地図情報403を同時に取得することが可能となる。
【００１４】
以上のように本実施の形態によれば、縮尺記憶手段から現在の表示地図縮尺を取得し、現在の表示地図縮尺よりも広域な縮尺表示用の地図情報を選択して、地図情報取得手段に地図情報の取得を指示するためのスクロール用地図情報選択手段を設けることにより、広域な縮尺表示用の地図情報は、現在の表示地図縮尺よりも情報量が少ないので、高速でスムーズなスクロールが可能であり、また、地図情報を記憶しておくためのメモリ容量が増加しない。さらに、広域な縮尺表示用の地図情報を使用するので、一度に広い範囲の地図情報を取得することが可能となるため、高速でスムーズなスクロールを行うことができる。
【００１５】
(実施の形態２)
図５は本発明の車載用ナビゲーション装置の実施の形態２における構成を示すブロック図であり、図中、501はスクロール速度の変更を指示するためのスクロール速度変更手段、502はスクロール速度変更手段501からのスクロール速度の変更指示に基づいて自動的に選択する地図情報を変更するスクロール用地図情報選択手段である。その他の地図情報記憶手段101、地図情報取得手段102、地図範囲算出手段103、縮尺記憶手段104、座標変換手段106、地図描画手段107、表示手段は、前記実施の形態１で説明した内容と同様であるので、同一部分に同一符号を付し、その詳細な説明は省略する。
【００１６】
以下動作を説明する。本実施の形態に示す装置は、スクロールを開始してからある一定時間が経過するとスクロール速度を変更することができるようにした点が前記実施の形態１の装置との相違点であり、このスクロール速度の変更はスクロール速度変更手段501の指示により行われる。すなわち、スクロール用地図情報選択手段502は、スクロール速度変更手段501からのスクロール速度変更指示に従って広域な縮尺表示用の地図情報の選択を変更する。例えば、スクロール開始からの経過時間によって、スクロール速度をスクロール開始直後は低速、一定時間が経過した後は中速に、さらに一定時間が経過すると高速にと３段階に変更する。この場合、スクロール用地図情報選択手段502は、低速時には現在の縮尺表示用の地図情報を選択し、中速時には広域な縮尺表示用の地図情報を選択し、高速時にはさらに広域な縮尺表示用の地図情報を選択する。
【００１７】
以上のように本実施の形態によれば、スクロール速度の変更を指示するためのスクロール速度変更手段を備えたことにより、広域な縮尺表示用の地図情報選択を変更することが可能となり、情況に対応し易くなる。
【００１８】
【発明の効果】
以上のように本発明によれば、地図情報を記憶しておくためのメモリ容量を増加させることなく高速でスムーズなスクロールが可能になるという有利な効果が得られる。
【図面の簡単な説明】
【図１】本発明の車載用ナビゲーション装置の実施の形態１における構成を示すブロック図。
【図２】本発明の車載用ナビゲーション装置の実施の形態１における動作説明のための地図情報の概念図。
【図３】図２に示す地図情報よりも広域な縮尺表示用の地図情報の概念図。
【図４】本発明の車載用ナビゲーション装置の実施の形態１における動作説明のための地図情報の構成図。
【図５】本発明の車載用ナビゲーション装置の実施の形態２における構成を示すブロック図。
【符号の説明】
101…地図情報記憶手段、  102…地図情報取得手段、  103…地図範囲算出手段、  104…縮尺記憶手段、  105，502…スクロール用地図情報選択手段、  106…座標変換手段、  107…地図描画手段、  108…表示手段、  501…スクロール速度変更手段。
【図１】
0003842380.tif 000002
【図２】
0003842380.tif 000003
【図３】
0003842380.tif 000004
【図４】
0003842380.tif 000005
【図５】
0003842380.tif 000006